(57)【特許請求の範囲】
【請求項１】
運転キャビンと、
前記運転キャビンの後方側を目視可能にするための透明窓板と、
前記透明窓板を移動可能に支持する移動案内機構とを備え、
前記移動案内機構が、前記運転キャビンの後面部と上面部とにわたって備えられたガイドレール部と、そのガイドレール部に案内される複数個の被ガイド体とを備え、
複数個の前記被ガイド体は、前記ガイドレール部の案内方向で所定間隔を隔てた複数箇所に備えられていて、その複数個の前記被ガイド体が、前記ガイドレール部による案内作用を前記案内方向における複数箇所で受けながら移動するように構成されていて、
前記移動案内機構は、前記透明窓板を、前記運転キャビンの後面部に位置する後方閉塞位置と、前記運転キャビンの上面部に位置する後方開放位置とにわたってスライド移動可能で、かつ、前記透明窓板を、前記後方閉塞位置で前記運転キャビンの後面部に沿って起立する起立姿勢と、前記後方開放位置で前記運転キャビンの上面部に沿って倒伏する倒伏姿勢とに、前記スライド移動に伴って姿勢変更するように構成され、
前記案内方向における前記複数箇所の前記被ガイド体同士の間隔は、前記案内方向における前記透明窓板の長さよりも短く設定されている車両。
【請求項２】
前記被ガイド体は、前記透明窓板のうち、前記後方閉塞位置で起立姿勢にある前記透明窓板の上半部に相当する箇所に設けられている請求項１記載の車両。
【発明の詳細な説明】
【技術分野】
【０００１】
本発明は、運転キャビンと、運転キャビンの後方側を目視可能にするための透明窓板と、その透明窓板を移動可能に支持する移動案内機構とを備えた車両に関する。
【背景技術】
【０００２】
上記のように、運転キャビンと、運転キャビンの後方側を目視可能にするための透明窓板と、その透明窓板を移動可能に支持する移動案内機構とを備えると、運転キャビンを備えながらも運転キャビンの後方側を視認したり、運転キャビン室内の換気を行い易い点などで便利に用いることができる。
このような構造を採用した車両として、従来では下記［１］に示す技術が知られている。
［１］  運転キャビンのリヤガラスが上端部に備えたヒンジを支点にして回動し、下端側を後方側へ向けて開くように構成されたもの（例えば、特許文献１参照）。
【先行技術文献】
【特許文献】
【０００３】
【特許文献１】特開２０１４−１５９１９５号（段落「００１６」、図５、図９参照）
【発明の概要】
【発明が解決しようとする課題】
【０００４】
上記の従来構造の車両では、透明窓板であるところのリヤガラスを、その下端側に備えた操作レバーを把持して後方側へ開くことができる。したがって、運転キャビン室内を換気したり、キャビン室内から後方側へ身を乗り出して、接続された作業装置等が存在するキャビン後方下方を覗き込むことなど、を行い易い点で有用である。
しかしながら、この構造では、リヤガラスが上端に備えたヒンジを支点にして回動するものであるから、リヤガラスの後方側には、そのリヤガラスの揺動作動を許容するための、比較的大きな空き領域を確保する必要がある。
したがって、リヤガラスの後方側に接近して、何らかの他物自体や、他物の作動領域が存在する状態では、リヤガラスの開放を行い難いので、この点で改善の余地がある。
【０００５】
本発明は、透明窓板の開閉作動に際しての運転キャビン外方側への突出度合いを低減して、運転キャビンの後方側における他物の存在等に妨げられる虞少なく透明窓板の開閉操作を行えるようにしようとするものである。
【課題を解決するための手段】
【０００６】
本発明における車両の特徴は、運転キャビンと、前記運転キャビンの後方側を目視可能にするための透明窓板と、前記透明窓板を移動可能に支持する移動案内機構とを備え、前記移動案内機構が、前記運転キャビンの後面部と上面部とにわたって備えられたガイドレール部と、そのガイドレール部に案内される複数個の被ガイド体とを備え、複数個の前記被ガイド体は、前記ガイドレール部の案内方向で所定間隔を隔てた複数箇所に備えられていて、その複数個の前記被ガイド体が、前記ガイドレール部による案内作用を前記案内方向における複数箇所で受けながら移動するように構成されていて、前記移動案内機構は、前記透明窓板を、前記運転キャビンの後面部に位置する後方閉塞位置と、前記運転キャビンの上面部に位置する後方開放位置とにわたってスライド移動可能で、かつ、前記透明窓板を、前記後方閉塞位置で前記運転キャビンの後面部に沿って起立する起立姿勢と、前記後方開放位置で前記運転キャビンの上面部に沿って倒伏する倒伏姿勢とに、前記スライド移動に伴って姿勢変更するように構成され、前記案内方向における前記複数箇所の前記被ガイド体同士の間隔は、前記案内方向における前記透明窓板の長さよりも短く設定されている点にある。
【０００７】
本発明によれば、透明窓板が、運転キャビンの上部に存在する一つの固定支点を揺動支点にして単純に揺動作動するというものではなく、運転キャビンの後面部と上面部とに沿いながら姿勢変更するように構成されている。
つまり、透明窓板は、後方閉塞位置で運転キャビンの後面部に沿って起立する起立姿勢と、後方開放位置で運転キャビンの上面部に沿って倒伏する倒伏姿勢とに、運転キャビンの後面部と上面部とにわたってスライド移動するに伴って姿勢変更される。したがって、運転キャビンの上部の固定支点を揺動支点にして揺動作動した場合に比べて、運転キャビン外への突出度合いを低減した状態で透明窓板の開閉動作を行うことができ、運転キャビンの後方側における他物との干渉を回避し易いという利点がある。
【０００８】
【０００９】
また、透明窓板が、運転キャビンの後面部と上面部とにわたって備えられたガイドレール部と、そのガイドレール部に案内される複数個の被ガイド体とを備えた移動案内機構によってスライド移動しながら開閉操作される。
このように移動案内機構が複数の被ガイド体を備えていると、例えば、単一の被ガイド体を備えてスライド移動する構造であれば、透明案内板がスライド移動中に単一の被ガイド体を支点にして揺れ動いて姿勢が安定しない虞があるが、このような構造のものに比べて、透明案内板のスライド移動姿勢を安定した状態に保ちながらの開閉操作が行われ易い。
【００１０】
【００１１】
さらに、案内方向における複数箇所の被ガイド体同士の間隔を、同方向での透明窓板の長さよりも短く設定すると、透明窓板がスライド移動中に運転キャビンの内部空間に入り込んでくる度合いを少なくすることができる。
つまり、複数箇所の被ガイド体のうちの、一つの被ガイド体が運転キャビンの後面部に位置し、他のガイド部材が運転キャビンの上面部に位置した場合には、その複数箇所の被ガイド体同士を結ぶ線分に沿う透明窓板の一部が、スライド移動途中で部分的に運転キャビンの室内に入り込む状態となる傾向があるが、その複数箇所の被ガイド体同士の間隔が狭いことで、その入り込み度合いは比較的少なくて済む。
【００１２】
本発明においては、前記被ガイド体は、前記透明窓板のうち、前記後方閉塞位置で起立姿勢にある前記透明窓板の上半部に相当する箇所に設けられていると好適である。
【００１３】
本構成を備えることで、透明窓板は、その上半部に被ガイド体が備えられているので、例えば、被ガイド体が透明窓板の下半部に備えられた場合のように、透明窓板が運転キャビンの上方側へ大きく突出するような事態を避けやすく、また、ガイドレール部の配設範囲も短くて済む。
【図面の簡単な説明】
【００１４】
【図１】車両の全体側面図である。
【図２】図１におけるII-II線断面でのガイドレール部を示す断面図である。
【図３】ガイドレール部における透明窓板の操作状態を示す動作説明図である。
【図４】外部配線取り出し部を示す断面図である。
【図５】外部配線取り出し部の構成部材を示す分解斜視図である
【図６】外部配線取り出し部における使用形態を示す断面図である。
【図７】別実施形態におけるガイドレール部を示す断面図である。
【発明を実施するための形態】
【００１５】
以下、本発明の実施の形態の一例を図面の記載に基づいて説明する。
尚、本実施形態での説明における前後方向及び左右方向は、特段の説明がない限り、次のように記載している。つまり、本発明を適用した車両の運転座席が向く前進側の進行方向（図１における矢印Ｆ参照）が「前」、後進側への進行方向（図１における矢印Ｂ参照）が「後」、その前後方向での前向き姿勢を基準としての右側に相当する方向が「右」、同様に左側に相当する方向が「左」である。
【００１６】
〔全体構成〕
図１に示すように、本発明に係る車両の一例である多目的車両は、車体フレーム１の下部に左右一対の前車輪２，２、及び左右一対の後車輪３，３が装備された走行車体を備えている。走行車体の前部に、左右一対の前照灯４が備えられた前カバー５を設けてある。走行車体のうちの前カバー５よりも後方の部位に、運転キャビン７が備えられた搭乗部６を設けてある。走行車体の後部に荷台８を配備してある。
【００１７】
走行車体には、前車輪２と後車輪３との間で、荷台８の下側に相当する部位に、エンジン９が設けられている。エンジン９から出力された駆動力は、エンジン９の後部側に一体的に設けられた走行ミッション１０に入力される。走行ミッション１０から出力された変速後の駆動力が前車輪２及び後車輪３に伝えられ、４輪駆動型の多目的車両が構成されている。
【００１８】
荷台８は、図１に示すように、後端側に配置した車体横向きのダンプ支点軸１１を介して車体に支持され、この荷台８の下面側と車体フレーム１とにわたって昇降シリンダ１２が装着されている。これによって荷台８は、車体上に水平又はほぼ水平に位置した積載姿勢と、前端側が車体から上方に高く上昇したダンプ姿勢とにわたって昇降作動するように構成されている。
【００１９】
搭乗部６は、運転キャビン７を備えている。運転キャビン７内では、後部に運転座席１６が設けられ、運転座席１６の前方に左右一対の前車輪２，２を操向操作するステアリングホィール１７が設けられている。
運転座席１６は、座部及び背当て部を備え、前後にスライド自在に構成されている。
【００２０】
〔運転キャビン〕
運転キャビン７は次のように構成されている。
前記運転座席１６及びステアリングホィール１７が設けられているキャビン内空間Ｓ１の上部が天井壁２０（上面部に相当する）で覆われている。キャビン内空間Ｓ１の前側には前窓を備えた前壁２１（前面部に相当する）が設けられ、キャビン内空間Ｓ１の後側には後窓を備えた後壁２２（後面部に相当する）が設けられている。
キャビン内空間Ｓ１の左右横側部は、横外方側に開放されており、この構造では開閉ドアなどは設けられていない。
【００２１】
前壁２１の前窓は、運転キャビン７の前方側を目視可能にするための前面ガラス（図示せず）によって構成されている。この前面ガラスは前壁２１に固定された状態で設けられている。
後壁２２の後窓は、後方側を目視可能にするための後面ガラス２３（透明窓板に相当する）によって構成されている。この後面ガラス２３は、後壁２２に固定された状態で設けられているのではなく、次のように構成されている。
【００２２】
すなわち、後面ガラス２３は、後述する移動案内機構３０を介して取り付けられている。この移動案内機構３０によって、後面ガラス２３が運転キャビン７の後面部に位置する後方閉塞位置と、運転キャビン７の上面部に位置する後方開放位置とにわたってスライド移動可能に構成されている。
移動案内機構３０では、後面ガラス２３が後方閉塞位置と後方開放位置とにわたってスライド移動するにともなって後面ガラス２３の姿勢変更操作を行うように構成されている。つまり、後面ガラス２３を、後方閉塞位置で運転キャビン７の後面部に沿って起立させた起立姿勢と、後方開放位置で運転キャビン７の天井壁２０に沿って倒伏させた倒伏姿勢とに、移動案内機構３０によって姿勢変更するように構成されている。
【００２３】
〔移動案内機構〕
移動案内機構３０は、図２及び図３に示すように構成されている。
運転キャビン７の後面部と上面部とにわたって、側面視で逆Ｌ字状に屈曲形成されたガイドレール３１（ガイドレール部に相当する）が、運転キャビン７の左右両側に配設されている。このガイドレール３１は、図２に示すように断面形状がチャンネル状に形成されている。
ガイドレール３１内を案内経路Ｒ１として、この案内経路Ｒ１に沿って転動するように、ガイドローラ３２（被ガイド体に相当する）が左右のガイドレール３１，３１の長さ方向における２箇所に設けられている。
このガイドローラ３２とガイドレール３１とによって、後面ガラス２３を案内するための移動案内機構３０が構成されている。
【００２４】
ガイドローラ３２は、後面ガラス２３の左右両側に設けられた支軸２４に枢支されている。つまり、後面ガラス２３の左右両側から横外側方へ突出するように前記支軸２４が後面ガラス２３に固定されていて、この支軸２４に回転自在に前記ガイドローラ３２が外嵌されている。このガイドローラ３２が前記支軸２４の軸芯ｘ１まわりで回転して、ガイドレール３１内を移動することにより、後面ガラス２３が案内経路Ｒ１に沿って移動するように構成されている。
【００２５】
後面ガラス２３の左右両側に設けられる支軸２４は、図３に示すようにガイドレール３１内の案内経路Ｒ１に沿う方向での２箇所に設けられていて、その支軸２４同士の前記案内経路Ｒ１に沿う方向での間隔ｄ１は、後面ガラス２３の同方向長さＬ１よりも短く設定されている。
さらに、各支軸２４に設けられたガイドローラ３２は、後面ガラス２３が後方閉塞位置で起立姿勢にある状態で、その後面ガラス２３の上部側に相当する箇所に設けられている。
【００２６】
このように構成された後面ガラス２３の移動は、図３に示すように行われる。
この図３における符号ａ０〜ａ６は、後面ガラス２３の支軸２４のうち、後方閉塞位置から後方開放位置に向かう後面ガラス２３の移動方向前方側、つまり、後方閉塞位置の終端に近い側の支軸２４の軸芯ｘ１（以下、便宜上「先行点」という）の通過点位置を示している。
同図における符号ｂ０〜ｂ６は、移動方向での後面ガラス２３の一端部のうち、後方閉塞位置から後方開放位置に向かう後面ガラス２３の移動方向での後方側の一端部（以下、便宜上「後端点」という）の通過点位置を示している。
また、同図における符号Ｒ２は、後面ガラス２３の後端点ｂ０〜ｂ６の移動軌跡を示している。
【００２７】
図３において、先行点の符号ａ０と後端点の符号ｂ０を結ぶ線分ａ０−ｂ０で表される位置が、後面ガラス２３が後方閉塞位置で起立姿勢にある状態を示している。
この位置から、後面ガラス２３の先行点が符号ａ１の位置に進むと、後端点は符号ｂ１に移動する。さらに、後面ガラス２３の先行点が符号ａ２の位置に進むと、後端点は符号ｂ２に移動する。
同様に、後面ガラス２３の先行点が符号ａ３の位置に進むと、後端点は符号ｂ３に移動し、先行点が符号ａ４の位置に進むと、後端点は符号ｂ４に移動し、先行点が符号ａ５の位置に進むと、後端点は符号ｂ５に移動する。
そして、後面ガラス２３の先行点が符号ａ６の位置に進むと、後端点は符号ｂ６に移動し、この位置が、後面ガラス２３が後方開放位置で倒伏姿勢にある状態を示している。
【００２８】
このように、後面ガラス２３の後端点ｂ０〜ｂ６における移動軌跡Ｒ２は、後方閉塞位置から後方開放位置に向かう移動行程の初期段階では、後方側へ大きく張り出さない状態となる（図３の符号Ｒ２参照）。
そして、後方閉塞位置から後方開放位置に向かう移動行程の後半段階でも、後面ガラス２３が先行点位置を揺動中心として揺動するような構造と比較すれば、後端点の移動軌跡Ｒ２は大きく後方側へ張り出すことを避けられる。
つまり、後面ガラス２３が後方閉塞位置での先行点ａ１の位置を揺動中心として揺動するような構造であれば、その揺動軌跡Ｒ３は図３に示すように、後面ガラス２３の全長に相当する回転半径で大きく後方側へ張り出す円弧軌跡となる。これに比べ、この構造における後端点の移動軌跡Ｒ２は、後方側への張り出し量が少ない状態となる。
【００２９】
〔外部配線取り出し部〕
運転キャビン７の天井壁２０には、外部配線取り出し部４０が設けられている。
この外部配線取り出し部４０は、図示しないワークライト等の電装品をオプション品として取り付ける場合に、簡単に取り付けやすいように予め天井壁２０に対して取り付けられたものであり、図４乃至図６に記載のように構成されている。
【００３０】
外部配線取り出し部４０は、図４及び図５に示すように、内部に機器収容空間Ｓ２を有した台座部材４１と、その台座部材４１の上部開口を閉塞する平板状の蓋部材４２と、この蓋部材４２を台座部材４１とともに天井壁２０に対して取り付けるための固定ボルト４３とを備えている。
台座部材４１は、天井壁２０に形成された取付孔２０ａに差し込み可能な挿入筒部４１Ａを下部に備え、その挿入筒部４１Ａを取付孔２０ａに差し込んで下面側を天井壁２０の上面側へ当てつけた状態で固定される。
これらの台座部材４１と、蓋部材４２と、固定ボルト４３とを備えることによって外部配線取り出し部４０が構成されている。
【００３１】
台座部材４１はゴム成型品や合成樹脂成型品等のある程度の弾性を有した部材で構成され、蓋部材４２は金属プレートで構成されている。台座部材４１の挿入筒部４１Ａを通して運転キャビン７の内部側の導電線４４が台座部材４１の内側に導かれ、導電線４４の端部コネクタ４４ａが機器収容空間Ｓ２に位置する状態で、導電線４４の挿入筒部４１Ａ内への挿入箇所付近が止めテープ４８などで固定されている。
この図４に示す状態は、台座部材４１の上部開口が蓋部材４２で閉塞され、上部開口から導電線４４や端部コネクタ４４ａが引き出されていない状態、つまり、オプションの電装品が取り付けられていない状態で、運転キャビン７の天井壁２０が閉じられた状態である。
【００３２】
オプションの電装品を取り付ける場合は、図６に示すように、同一形状の台座部材４１をもう一つ用意し、かつ台座部材４１同士の接合箇所に取り付けるオプション用の中間プレート４５と、上部プレート４６とを用いる。
この構造では、天井壁２０側に取り付けられた一つの台座部材４１の上端開口に中間プレート４５を置き、その中間プレート４５の上側に、もう一つの台座部材４１の上端開口に相当する開口側を下向きにし、挿入筒部４１Ａを上向きにして設置する。開口側を下向きに設置された台座部材４１の上側に上部プレート４６を置いて、取付ボルト４７により、これらの上部プレート４６と、その下方側の二つの台座部材４１，４１、中間プレート４５とが、天井壁２０に連結固定される。
【００３３】
中間プレート４５は、台座部材４１の上部開口と同形状の内周縁を有した孔部４５ａを備え、上部プレート４６は台座部材４１の挿入筒部４１Ａに対して、雨水の浸入を抑制するように密に外嵌する形状の孔部４６ａを有している。
図６に示す使用状態では、台座部材４１の内部に存在する機器収容空間Ｓ２で、運転キャビン７側の導電線４４の端部コネクタ４４ａと、図示しない電装品に接続されている導電線４４の端部コネクタ４４ａとが接続される。
運転キャビン７に対する電装品の取付構造については任意の構造を採用すれば良いので、その説明は省略する。
【００３４】
〔別実施形態の１〕
上記した実施の形態では、移動案内機構３０として、断面形状がチャンネル状に形成されたガイドレール３１と、そのガイドレール３１内を溝状の案内経路Ｒ１として転動するガイドローラ３２とを用いた構造のものを例示したが、この構造に限られるものではない。
例えば、図７に示すように、断面形状が逆Ｌ字状のレール部材に、被ガイド体としてのガイドローラ３２が嵌り込んで転動するガイド穴３３（ガイドレール部に相当する）を形成し、そのガイド穴３３を図３に示したガイドレール３１の案内経路Ｒ１と同様に側面視で逆Ｌ字状に設けた構造のものであってもよい。
その他の構成は、前述した実施形態と同様の構成を採用すればよい。
【００３５】
〔別実施形態の２〕
上記した実施の形態では、ガイドレール３１やガイド穴３３によって構成されるガイドレール部に対して、被ガイド体としてのガイドローラ３２を組み合わせることによって移動案内機構３０を構成した構造のものを例示したが、この構造に限られるものではない。
例えば、ガイドレール３１内やガイド穴３３内を転動するガイドローラ３２を用いるのではなく、図示はしないが、ガイドレール３１内やガイド穴３３内を転動せずに滑動するスライダー（被ガイド体に相当する）を設けて、移動案内機構３０を構成してもよい。
その他の構成は、前述した実施形態と同様の構成を採用すればよい。
【００３６】
〔別実施形態の３〕
上記した実施の形態では、案内経路Ｒ１内での移動方向に、被ガイド体として二つのガイドローラ３２を用いた構造のものを例示したが、この構造に限られるものではない。例えば、ガイドレール部としてのガイドレール３１やガイド穴３３における案内経路Ｒ１が円弧状であれば、被ガイド体として三つ以上のガイドローラ３２やスライダーを用いた構造のものを採用してもよい。
その他の構成は、前述した実施形態と同様の構成を採用すればよい。
【００３７】
〔別実施形態の４〕
上記した実施の形態では、案内経路Ｒ１内での移動方向に並ぶ被ガイド体としてのガイドローラ３２同士の間隔ｄ１を、同方向における後面ガラス２３の長さＬ１よりもかなり短く設定して、後方閉塞位置で起立姿勢にある後面ガラス２３の上部に相当する箇所に設けた構造のものを例示したが、この構造に限られるものではない。
例えば、図３に基づいて説明すると、ガイドローラ３２の支軸２４のうち、符号ａ０〜ａ６で示される先端点の支軸２４、又は、その先端点の支軸２４よりも後端点に近い位置の支軸２４が、符号ｂ０〜ｂ６で示される後端点に近くなるほど、後面ガラス２３の運転キャビン７から後方突出量が少なくなる。
したがって、符号ａ０〜ａ６で示される先端点の支軸２４、又はその先端点の支軸２４よりも後端点に近い位置の支軸２４の位置が符号ｂ０〜ｂ６で示される後端点に近くなるように設定してもよい。
【００３８】
この場合、後端点の位置は一定であるので、先端点の支軸２４を後端点に近づけると、後面ガラス２３の一端側が、移動途中で天井壁２０よりも上方側へ突出する傾向がある。
先端点の支軸２４よりも後端点に近い位置の支軸２４を後端点に近づけるように、支軸２４同士の間隔を広く設定すると、後面ガラス２３が移動途中で運転キャビン７の内部空間に入り込む状態となる量が大きくなる。
したがって、ガイドローラ３２同士の間隔ｄ１を、同方向における後面ガラス２３の長さＬ１よりも短く設定して、後方閉塞位置で起立姿勢にある後面ガラス２３の上半部に相当する箇所に両支軸２４が位置する状態であるのが望ましい。
【００３９】
〔別実施形態の５〕
上記した実施の形態では、透明窓板としての後面ガラス２３を、透明ガラスで構成した構造にものを例示したが、これに限られるものではない。例えば、ガラス製に限らず、アクリル板などの合成樹脂材で、後方を視認可能な透明窓板を構成しても良い。尚、本発明でいう、透明とは、窓板を透して運転キャビン７の外方を視認可能である程度に半透明であるものをも含むものである。
その他の構成は、前述した実施形態と同様の構成を採用すればよい。
【００４０】
〔別実施形態の６〕
上記した実施の形態では、運転キャビン７として、左右両側の側方が開放された構造のものを例示したが、この構造に限られるものではない。例えば、図示しないが左右両側に開閉ドアが設けられるなどして、運転キャビン７の内部が矩形箱状の空間となるように構成されたものであってもよい。
その他の構成は、前述した実施形態と同様の構成を採用すればよい。
【００４１】
〔別実施形態の７〕
上記した実施の形態では、車体の後部にダンプ可能な荷台８を備えた車両を例に示したが、車体の後部に荷台８を固定したダンプ不能な車両（図示せず）においても同様に適用できる。
また、荷台８に限らず、他の何らかの作業装置などを備えた車両であってもよい。
その他の構成は、前述した実施形態と同様の構成を採用すればよい。
【産業上の利用可能性】
【００４２】
本発明は、運搬車両に限らず、運転キャビン７の後方側に何らかの装置を備えた種々の車両に利用可能である。
【符号の説明】
【００４３】
７            運転キャビン
２３          透明窓板
３０          移動案内機構
３１，３３    ガイドレール部
３２          被ガイド体
ｄ１          間隔
Ｌ１          長さ
【図１】
0006479610.tif 000002
【図２】
0006479610.tif 000003
【図３】
0006479610.tif 000004
【図４】
0006479610.tif 000005
【図５】
0006479610.tif 000006
【図６】
0006479610.tif 000007
【図７】
0006479610.tif 000008